(57)【特許請求の範囲】
【請求項１】
感光体、該感光体を帯電する帯電部、該帯電部により帯電された感光体を露光して静電潜像を形成する露光部、該静電潜像を現像剤で現像する現像部、該現像された画像を中間転写体に転写する第１転写部、該中間転写体に転写された画像を用紙に転写する第２転写部、該用紙に転写された画像を定着する定着部、及び該用紙を搬送する搬送部を有し、画像データに基づいて画像を形成する画像形成手段と、
画像形成のスピード、画質、消耗材の寿命、用紙の紙質、及び印刷色のいずれかを優先する優先モードと前記画像形成手段が画像を形成するときの前記優先モードに対応した画像形成条件とを対応させて記憶した第１の記憶手段と、
前記優先モードの優先順位を記憶した第２の記憶手段と、
前記優先モードのうちユーザにより指定された優先モードを複数受け付ける受付手段と、
前記受付手段で受け付けた複数の優先モードの各々に対応して前記第１の記憶手段に記憶された画像形成条件の各々を、前記第２の記憶手段に記憶された優先順位に従って選択する選択手段と、
前記選択手段で選択された画像形成条件を用いて前記画像データに基づいた画像が形成されるように前記画像形成手段を制御する制御手段と、
を備えた画像形成装置。
【請求項２】
前記選択手段は、前記第２の記憶手段に記憶された優先順位の高い優先モードに対応した画像形成条件と、次の優先順位の優先モードに対応した画像形成条件とが異なっている場合には、該優先順位の高い優先モードの画像形成条件を優先して選択する
請求項１記載の画像形成装置。
【請求項３】
画像の特性を示す画像情報と優先モードとの組み合わせの各々が有効か否かを記憶した第３の記憶手段と、
前記第３の記憶手段に基づいて、前記画像データが表す画像の特性を示す画像情報と、前記受付手段で受け付けた優先モードの各々との組み合わせの各々が有効であるか否かを判断する判断手段と、を更に備え、
前記選択手段は、前記判断手段で有効と判断された組み合わせの優先モードに対応して前記第１の記憶手段に記憶されている画像形成条件を前記第２の記憶手段に記憶された優先順位に従って選択し、前記判断手段で有効と判断されなかった組み合わせの優先モードについては、予め定められた画像形成条件を選択する
請求項１または請求項２に記載の画像形成装置。
【請求項４】
感光体、該感光体を帯電する帯電部、該帯電部により帯電された感光体を露光して静電潜像を形成する露光部、該静電潜像を現像剤で現像する現像部、該現像された画像を中間転写体に転写する第１転写部、該中間転写体に転写された画像を用紙に転写する第２転写部、該用紙に転写された画像を定着する定着部、及び該用紙を搬送する搬送部を有し、画像データに基づいて画像を形成する画像形成手段と、
画像形成のスピード、画質、消耗材の寿命、用紙の紙質、及び印刷色のいずれかを優先する優先モードと、画像の特性を示す画像情報との組み合わせが有効か否かを記憶した第１の記憶手段と、
前記優先モードと前記画像形成手段が画像を形成するときの前記優先モードに対応した画像形成条件とを対応して記憶した第２の記憶手段と、
前記優先モードのうちユーザにより指定された優先モードを受け付ける受付手段と、
前記第１の記憶手段に基づいて、前記画像データが表す画像の特性を示す画像情報と、前記受付手段で受け付けた優先モードとの組み合わせの各々が有効であるか否かを判断する判断手段と、
前記判断手段により前記組み合わせが有効であると判断された場合には、該有効な組み合わせの優先モードに対応して前記第２の記憶手段に記憶された画像形成条件を選択すると共に、前記判断手段により前記組み合わせが有効でないと判断された場合には、予め定められた画像形成条件を選択する選択手段と、
前記選択手段で選択された画像形成条件を用いて前記画像データに基づいた画像が形成されるように前記画像形成手段を制御する制御手段と、
を備えた画像形成装置。
【請求項５】
前記優先モードの優先順位を記憶した優先順位記憶手段を更に備え、
前記選択手段は、前記受付手段で複数の優先モードを受け付け、且つ前記判断手段により有効であると判断された組み合わせが複数ある場合には、該複数の有効な組み合わせの優先モードに対応して前記第２の記憶手段に記憶された画像形成条件を選択すると共に、前記優先順位記憶手段に記憶された優先順位の高い優先モードに対応した画像形成条件と、次の優先順位の優先モードに対応した画像形成条件とが異なっている場合には、優先順位の高い優先モードの画像形成条件を優先して選択する
請求項４記載の画像形成装置。
【請求項６】
感光体、該感光体を帯電する帯電部、該帯電部により帯電された感光体を露光して静電潜像を形成する露光部、該静電潜像を現像剤で現像する現像部、該現像された画像を中間転写体に転写する第１転写部、該中間転写体に転写された画像を用紙に転写する第２転写部、該用紙に転写された画像を定着する定着部、及び該用紙を搬送する搬送部を有し、画像データに基づいて画像を形成する画像形成手段と、
画像形成のスピード、画質、消耗材の寿命、用紙の紙質、及び印刷色のいずれかを優先する優先モードと、画像の特性を示す画像情報と、の組み合わせのうち、予め定められた有効な組み合わせに対応させて、前記画像形成手段が画像を形成するときの前記組み合わせの優先モードに対応した画像形成条件を記憶した記憶手段と、
前記優先モードのうちユーザにより指定された優先モードを受け付ける受付手段と、
前記記憶手段に前記受付手段で受け付けた優先モードと前記画像データが表す画像の特性を示す画像情報との組み合わせに対応して画像形成条件が記憶されている場合には、該対応して記憶されている画像形成条件を選択し、前記記憶手段に前記受付手段で受け付けた優先モードと前記画像データが表す画像の特性を示す画像情報との組み合わせに対応して画像形成条件が記憶されていない場合には、予め定められた画像形成条件を選択する選択手段と、
前記選択手段で選択された画像形成条件を用いて前記画像データに基づいた画像が形成されるように前記画像形成手段を制御する制御手段と、
を備えた画像形成装置。
【請求項７】
前記受付手段は、前記ユーザにより指定された優先モード、前記画像データ、及び前記画像データが表す画像の画像情報を含むジョブを受け付けることにより前記ユーザにより指定された優先モードを受け付け、
前記選択手段は、前記受付手段で複数のジョブを受け付けた場合に、前記各ジョブ毎に画像形成条件を選択し、
前記制御手段は、前記選択手段の選択の結果、前記複数のジョブの各々において特定の画像形成条件が同一である場合には、前記ジョブの受付順に各ジョブの画像が形成されるように前記画像形成手段を制御し、前記複数のジョブに前記特定の画像形成条件が異なるジョブが混在する場合には、前記特定の画像形成条件が同一のジョブが連続するように前記ジョブの処理順を変更して前記各ジョブの画像が形成されるように前記画像形成手段を制御するか、または、前記複数のジョブの各々の前記選択された画像形成条件のうち前記特定の画像形成条件が同一となるように前記特定の画像形成条件を変更して前記各ジョブの画像が形成されるように前記画像形成手段を制御する、
請求項１〜請求項６のいずれか１項記載の画像形成装置。
【請求項８】
前記画像情報は、画像のカラー情報、画像の属性情報、画像の画像密度情報、及び画像の構造情報の少なくとも１つを含み、
前記画像形成条件は、プロセススピード、感光体帯電条件、現像条件、露光条件、転写条件、定着条件、ソーティング条件、ＴＲＣ制御条件、及び画像制御間隔の少なくとも１つを含む請求項１〜請求項７のいずれか１項記載の画像形成装置。
【発明の詳細な説明】
【０００１】
【発明の属する技術分野】
本発明は、複写機やプリンタ等の画像形成装置に関し、特に、画像形成条件を変更して最適な条件で画像形成を行う画像形成装置に関するものである。
【０００２】
【従来の技術】
近年、画像形成装置のカラー化が急速に進み、機能も格段に向上してきている。更に、他機種との差別化を図るため高画質化・高生産性化等が進み、その進化の速度には目を見張るものがある。
【０００３】
また、高画質要求や用紙の多様化要求等、ユーザの様々な要求に答えるため、プロセススピードの変更が可能な画像形成装置が普及してきている。更に、ユーザの要求
（目的）をより高い次元で達成させるために、プロセススピードの変更だけでなく他の画像形成条件もユーザの要求
（目的）に応じて変更できる装置が望まれている。
【０００４】
画像形成条件を変更する画像形成装置としては、例えば、画像形成プロセスのスピードに関する複数モードのうち、少なくとも１つのモード（特に低速モード）において行う基準トナー画像の形成条件を、他のモードにおいて行う基準トナー画像の形成条件とは異ならせることにより濃度検知に要する時間の短縮化を図る画像形成装置が知られている（例えば、特許文献１参照。）。
【０００５】
また、転写材の種別（普通紙、厚紙、ＯＨＰ）に応じて画像形成速度を切り替え、この画像形成速度に応じて画像形成処理（ガンマ補正処理の入出力ガンマ特性またはドット形成パターン等）を変更する画像形成装置（例えば、特許文献２参照。）や、画像のスクリーン処理に応じて、１画素に対する露光時間及び強度、並びに像担持体の表面電位及び現像バイアスの画像形成パラメータの１つ以上を補正することによって画像形成条件を補正する画像形成装置も知られている（例えば、特許文献３参照。）。
【０００６】
【特許文献１】
特開２００１−３４３８６７号公報
【特許文献２】
特開２００１−３０５８２５号公報
【特許文献３】
特開平１１−２１６９０４号公報
【０００７】
【発明が解決しようとする課題】
しかしながら、従来の画像形成装置ではいずれも、ユーザの目的とは関係なく自動的に画像形成条件が変更されてしまうため、本来ユーザの目的に合った画像形成条件の選択が可能であるにもかかわらず、ユーザの意に沿わない画像形成条件で画像が形成されてしまう可能性があり、目的に合った画像を形成することができない、という問題がある。
【０００８】
本発明は、上述した問題を解決するために提案されたものであり、ユーザの目的に応じて最適な画像形成条件を選択し、目的及びユーザの好みに合った画像形成を行うことができる画像形成装置を提供することを目的としている。
【０００９】
【課題を解決するための手段】
上記目的を達成するために、請求項１に係る画像形成装置は、感光体、該感光体を帯電する帯電部、該帯電部により帯電された感光体を露光して静電潜像を形成する露光部、該静電潜像を現像剤で現像する現像部、該現像された画像を中間転写体に転写する第１転写部、該中間転写体に転写された画像を用紙に転写する第２転写部、該用紙に転写された画像を定着する定着部、及び該用紙を搬送する搬送部を有し、画像データに基づいて画像を形成する画像形成手段と、画像形成のスピード、画質、消耗材の寿命、用紙の紙質、及び印刷色のいずれかを優先する優先モードと前記画像形成手段が画像を形成するときの前記優先モードに対応した画像形成条件とを対応させて記憶した第１の記憶手段と、前記優先モードの優先順位を記憶した第２の記憶手段と、前記優先モードのうちユーザにより指定された優先モードを複数受け付ける受付手段と、前記受付手段で受け付けた複数の優先モードの各々に対応して前記第１の記憶手段に記憶された画像形成条件の各々を、前記第２の記憶手段に記憶された優先順位に従って選択する選択手段と、前記選択手段で選択された画像形成条件を用いて前記画像データに基づいた画像が形成されるように前記画像形成手段を制御する制御手段と、を備えて構成されている。
なお、請求項２に記載のように、前記選択手段は、前記第２の記憶手段に記憶された優先順位の高い優先モードに対応した画像形成条件と、次の優先順位の優先モードに対応した画像形成条件とが異なっている場合には、該優先順位の高い優先モードの画像形成条件を優先して選択するようにしてもよい。
また、請求項３に記載のように、画像の特性を示す画像情報と優先モードとの組み合わせの各々が有効か否かを記憶した第３の記憶手段と、前記第３の記憶手段に基づいて、前記画像データが表す画像の特性を示す画像情報と、前記受付手段で受け付けた優先モードの各々との組み合わせの各々が有効であるか否かを判断する判断手段と、を更に備え、前記選択手段は、前記判断手段で有効と判断された組み合わせの優先モードに対応して前記第１の記憶手段に記憶されている画像形成条件を前記第２の記憶手段に記憶された優先順位に従って選択し、前記判断手段で有効と判断されなかった組み合わせの優先モードについては、予め定められた画像形成条件を選択するようにしてもよい。
また、請求項４に記載の画像形成装置は、感光体、該感光体を帯電する帯電部、該帯電部により帯電された感光体を露光して静電潜像を形成する露光部、該静電潜像を現像剤で現像する現像部、該現像された画像を中間転写体に転写する第１転写部、該中間転写体に転写された画像を用紙に転写する第２転写部、該用紙に転写された画像を定着する定着部、及び該用紙を搬送する搬送部を有し、画像データに基づいて画像を形成する画像形成手段と、画像形成のスピード、画質、消耗材の寿命、用紙の紙質、及び印刷色のいずれかを優先する優先モードと、画像の特性を示す画像情報との組み合わせが有効か否かを記憶した第１の記憶手段と、前記優先モードと前記画像形成手段が画像を形成するときの前記優先モードに対応した画像形成条件とを対応して記憶した第２の記憶手段と、前記優先モードのうちユーザにより指定された優先モードを受け付ける受付手段と、前記第１の記憶手段に基づいて、前記画像データが表す画像の特性を示す画像情報と、前記受付手段で受け付けた優先モードとの組み合わせの各々が有効であるか否かを判断する判断手段と、前記判断手段により前記組み合わせが有効であると判断された場合には、該有効な組み合わせの優先モードに対応して前記第２の記憶手段に記憶された画像形成条件を選択すると共に、前記判断手段により前記組み合わせが有効でないと判断された場合には、予め定められた画像形成条件を選択する選択手段と、前記選択手段で選択された画像形成条件を用いて前記画像データに基づいた画像が形成されるように前記画像形成手段を制御する制御手段と、を備えて構成されている。
なお、請求項５に記載のように、請求項４に記載の画像形成装置に前記優先モードの優先順位を記憶した優先順位記憶手段を更に設け、前記選択手段は、前記受付手段で複数の優先モードを受け付け、且つ前記判断手段により有効であると判断された組み合わせが複数ある場合には、該複数の有効な組み合わせの優先モードに対応して前記第２の記憶手段に記憶された画像形成条件を選択すると共に、前記優先順位記憶手段に記憶された優先順位の高い優先モードに対応した画像形成条件と、次の優先順位の優先モードに対応した画像形成条件とが異なっている場合には、優先順位の高い優先モードの画像形成条件を優先して選択するようにしてもよい。
また、請求項６に記載の画像形成装置は、感光体、該感光体を帯電する帯電部、該帯電部により帯電された感光体を露光して静電潜像を形成する露光部、該静電潜像を現像剤で現像する現像部、該現像された画像を中間転写体に転写する第１転写部、該中間転写体に転写された画像を用紙に転写する第２転写部、該用紙に転写された画像を定着する定着部、及び該用紙を搬送する搬送部を有し、画像データに基づいて画像を形成する画像形成手段と、画像形成のスピード、画質、消耗材の寿命、用紙の紙質、及び印刷色のいずれかを優先する優先モードと、画像の特性を示す画像情報と、の組み合わせのうち、予め定められた有効な組み合わせに対応させて、前記画像形成手段が画像を形成するときの前記組み合わせの優先モードに対応した画像形成条件を記憶した記憶手段と、前記優先モードのうちユーザにより指定された優先モードを受け付ける受付手段と、前記記憶手段に前記受付手段で受け付けた優先モードと前記画像データが表す画像の特性を示す画像情報との組み合わせに対応して画像形成条件が記憶されている場合には、該対応して記憶されている画像形成条件を選択し、前記記憶手段に前記受付手段で受け付けた優先モードと前記画像データが表す画像の特性を示す画像情報との組み合わせに対応して画像形成条件が記憶されていない場合には、予め定められた画像形成条件を選択する選択手段と、前記選択手段で選択された画像形成条件を用いて前記画像データに基づいた画像が形成されるように前記画像形成手段を制御する制御手段と、を備えて構成されている。
【００１０】
なお、前記画像情報は、画像のカラー情報、画像の属性情報、画像の画像密度情報、及び画像の構造情報の少なくとも１つを含むことができる。
【００１１】
ここで、カラー情報は、例えば、フルカラー、ミックス（白黒とフルカラーとの混在）、白黒等を示す情報を意味し、属性情報は、例えば、文字、写真、グラフィック等を示す情報を意味する。画像密度情報は、画像の密度を示し、構造情報は、例えば、線で構成された画像であるか、点で構成された画像であるかを示す情報を意味する。これらの画像情報は、画像の特性を示す情報であり、画像に応じて定まる。また、例えば、外部のコンピュータのプリンタドライバ等により予め印刷する用紙種類の情報が指定された場合等には、出力用紙種類情報を画像情報に含めることもできる。
【００１３】
また、スピード（生産性）を優先する優先モードは、スピードを優先して印刷するモードであり、画質を優先する優先モードは、生産性よりも画質を優先させて印刷するモードであり、消耗材の寿命を優先する優先モードは、トナーや感光体等の消耗材の寿命を優先させて印刷するモードであり、用紙の紙質を優先する優先モードは、印刷する用紙の紙質を優先させて印刷するモードであり、印刷色を優先する優先モードは、白黒、フルカラー、ミックス、プラスワンカラーのいずれかで印刷するモードである。これら優先モードは外部、例えば、画像形成装置のユーザにより指定される。
【００１７】
これにより、ユーザの目的に応じて最適な画像形成条件を選択し、目的及びユーザの好みに合った画像形成を行うことができる。
【００１８】
なお、選択手段により選択される前記画像形成条件は、プロセススピード、感光体帯電条件、現像条件、露光条件、転写条件、定着条件、ソーティング条件、ＴＲＣ制御条件、及び画像制御間隔の少なくとも１つを含むことができる。
【００１９】
ここで、プロセススピードとは画像を形成する際のスピードをいう。感光体帯電条件は、感光体の帯電電位や、ＡＣ帯電とするかＤＣ帯電とするかの指定をいう。また、現像条件は、現像バイアス電位や、ＡＣ（＋ＤＣ）バイアスとするかＤＣバイアスとするかの指定をいう。露光条件は、露光強度とすることができる。転写条件は、転写電圧とすることができる。定着条件は、定着温度や定着スピードとすることができる。ソーティング条件は、画像形成の際、ジョブの処理順が変更された場合に、画像形成後、ジョブの受付順がわかるように出力用紙をソートするか否かの指定をいう。ＴＲＣ制御条件は、トーンリプロダクションカーブ（ＴＲＣ）の制御の間隔や、リアルタイムで処理するか否かの指定をいう。画像制御間隔は、パッチを形成することにより行われる画像制御の実行間隔をいう。
【００２０】
なお、請求項３及び請求項４に記載のように、画像形成手段が用いる画像データの画像情報と受付手段で受け付けた優先モードとの組み合わせが有効であるか否かを判断する判断手段を更に含み、選択手段は、前記組み合わせが有効であると判断された場合に、前記予め記憶されている画像形成条件から前記組み合わせの優先モードに対応する画像形成条件を選択することもできる。
【００２１】
例えば、画像データの画像情報に適合しない優先モードが指定され、該優先モードに対応する画像形成条件が選択された場合には、画像形成において、ユーザの意図しない性能低下を招くおそれがある。
【００２２】
そこで判断手段が、画像データの画像情報と受け付けた優先モードとの組み合わせが有効であるか否かを判断し、選択手段は、有効であると判断された組み合わせに対応する画像形成条件を選択することができるため、最適な画像形成条件を選択して、意図せざる性能低下を招くことなく、画像を形成することができる。
【００２５】
また、請求項２及び請求項５に記載の発明によれば、受け付けた優先モード毎に異なる画像形成条件が記憶されている場合であっても、例えば、優先順位の高い優先モードに対応する画像形成条件を優先的に選択することができるため、最適な画像形成条件を選択することができる。
【００２６】
なお、各モードの優先順位は、ユーザにより適宜変更できる構成としてもよい。
【００２７】
なお、請求項７に記載のように、前記受付手段は、前記ユーザにより指定された優先モード、前記画像データ、及び前記画像データが表す画像の画像情報を含むジョブを受け付けることにより前記ユーザにより指定された優先モードを受け付け、前記選択手段は、前記受付手段で複数のジョブを受け付けた場合に、前記各ジョブ毎に画像形成条件を選択し、前記制御手段は、前記選択手段の選択の結果、前記複数のジョブの各々において特定の画像形成条件が同一である場合には、前記ジョブの受付順に各ジョブの画像が形成されるように前記画像形成手段を制御し、前記複数のジョブに前記特定の画像形成条件が異なるジョブが混在する場合には、前記特定の画像形成条件が同一のジョブが連続するように前記ジョブの処理順を変更して前記各ジョブの画像が形成されるように前記画像形成手段を制御するか、または、前記複数のジョブの各々の前記選択された画像形成条件のうち前記特定の画像形成条件が同一となるように前記特定の画像形成条件を変更して前記各ジョブの画像が形成されるように前記画像形成手段を制御するようにしてもよい。
【００２８】
複数のジョブが受け付けられると、通常は、ジョブ毎に画像形成条件が選択され、ジョブの受付順に画像形成条件が順次切換えられて画像が形成される。しかしながら、画像形成条件によっては、その切換えに時間がかかるものもある。このような画像形成条件を頻繁に切換えると、画像形成そのものに時間がかかり、生産性が低下する。
【００２９】
請求項７に記載の発明では複数のジョブに特定の画像形成条件が異なるジョブが混在する場合には、該特定の画像形成条件が同一のジョブが連続するようにジョブの処理順を変更して各ジョブの画像が形成されるように画像形成手段を制御するか、または、複数のジョブの各々の上記選択された画像形成条件のうち該特定の画像形成条件が同一となるように該特定の画像形成条件を変更して各ジョブの画像が形成されるように画像形成手段を制御するため、画像形成条件の切換えに要する時間を短縮することができる。
【００３１】
これにより、ユーザは所望のモードを容易に指定することができる。
【００３３】
なお、本実施の形態では、コピー機能及びプリント機能を備えた画像形成装置を例に挙げて説明する。
【００３４】
図１は、本実施の形態に係る画像形成装置の概略的な構成を示したブロック図である。なお、図１には、本実施の形態におけるデータの流れが矢印により示されている。
【００３５】
図１に示されるように、画像形成装置１は、ユーザインタフェース（ＵＩ）３と、スキャナ４と、コントローラ５と、ＩＰＳ（Image processing system、画像処理システム）６と、ＩＯＴ（Image Output Terminal、画像出力部）１０とを含んで構成されている。
【００３６】
画像形成装置１にはパーソナルコンピュータ（ＰＣ）２が接続されており、画像形成装置１は、ユーザの印刷要求に基づいてＰＣ２から発行されたジョブを図示しないインタフェースを介して入力する。なお、ＰＣ２は、画像形成装置１に直接接続されていてもよいし、ネットワークを介して接続されていてもよい。また、複数のＰＣ２が画像形成装置１に接続されていてもよい。
【００３７】
ＰＣ２から発行されたジョブには、出力画像の画像データと、出力画像に関する情報である画像情報と、優先モードとが含まれている。優先モードは、ＰＣ２の所定のアプリケーションを用いてユーザにより指定される。本実施の形態では、生産性（スピード）を優先して印刷する生産性優先モード、生産性よりも画質を優先させて印刷する画質優先モード、トナーや感光体等の消耗材の寿命を優先させて印刷するＬｉｆｅ優先モード、印刷する用紙の紙質を優先させて印刷する用紙紙質優先モード、及び、白黒、フルカラー、白黒とフルカラーとの混在（ミックス）、のいずれかで印刷するカラー優先モードを指定することができる。
【００３８】
なお、画質優先モードを指定する場合には、高画質で印刷する高画質優先モード、文字の印刷に適した文字優先モード、写真の印刷に適した写真優先モード、及び高グロスで印刷する高グロス優先モードの４つのモードのいずれか或いは複数を指定することができる。
【００３９】
Ｌｉｆｅ優先モードを指定する場合には、トナーの消費量を抑制して印刷するトナーセーブモード、感光体の消耗スピードが遅くなるように印刷する感光体Ｌｉｆｅモード、定着器の消耗スピードが遅くなるように印刷するＦｕｓｅｒＬｉｆｅモードの３つのモードのいずれか或いは複数を指定することができる。
【００４０】
用紙紙質優先モードを指定する場合には、厚紙に印刷する厚紙モード及びＯＨＰに印刷するＯＨＰモードのいずれか一方を指定することができる。
【００４１】
カラー優先モードを指定する場合には、黒単色で印刷する単Ｋモード、フルカラーで印刷するフルカラーモード、黒とフルカラーが混在したものを印刷するMixモードのいずれか１つを指定することができる。
【００４２】
出力画像に関する情報である画像情報は、プリント機能実行時には、例えば、ＰＣ２のプリンタドライバ等により画像データが解析されて生成され、ＰＣ２のジョブ発行時に画像データに付加される。また、コピー機能実行時には、ＩＰＳ６により生成される。本実施の形態では、画像情報は、ジョブ毎のカラー情報（フルカラー、ミックス、白黒）と、属性情報（文字、写真）とを含んで構成されている。
【００４３】
画像形成装置１のＵＩ３は、例えばディスプレイ上にタッチパネルが重ねられたタッチパネルディスプレイ等から構成され、各種情報を表示したり、ユーザが操作することにより各種情報や指示を入力することができる。なお、前述した優先モードは、ＵＩ３からも入力することができる。
【００４４】
スキャナ４は、コピー機能実行時に原稿に記録されている画像を読み取って画像データを得ると共に、該画像データをＩＰＳ６に出力する。
【００４５】
コントローラ５は、ＰＣ２から入力されたジョブに含まれる画像データに所定の画像処理を施す。画像処理が施された画像データは、画像データに付された画像情報及び優先モードと共にＩＯＴ１０に出力される。
【００４６】
ＩＰＳ６は、コピー機能実行時に、スキャナ４で得られた画像データに画像処理を施してＩＯＴ１０に出力する。また、該画像データを解析して画像情報を生成して、ＩＯＴ１０に出力する。生成された画像情報は、前述のＰＣ２から発行されたジョブに含まれる画像情報と同様のものである。
【００４７】
ＩＯＴ１０は、入力された画像データを用いて出力画像を形成する。
【００４８】
ＩＯＴ１０は、ＩＯＴ制御部８を含んで構成されている。ＩＯＴ制御部８は、図示されないＣＰＵ、ＲＡＭ、及びＲＯＭにより構成され、該ＲＯＭに記憶されたプログラムを実行することによりＩＯＴ１０全体の制御を行う。なお、ＲＯＭに記憶されたプログラムには、入力された画像情報及び優先モードに基づいて画像形成条件を選択し、選択した画像形成条件で出力画像を形成するための処理ルーチンのプログラムが含まれている。
【００４９】
更に、ＲＯＭには、図３に示される各優先モードの優先順位を記憶した優先順位テーブルと、図４に示される画像情報と優先モードとの組み合わせの有効性を記憶した組み合わせテーブルと、図５に示される各優先モードに対応した画像形成条件を記憶した画像形成条件テーブルとが記憶されている。
【００５０】
ここで、図５の画像形成条件テーブルに記憶されている各画像形成条件について簡単に説明する。
【００５１】
１  プロセススピード：プロセススピードが速いほど生産性はＵＰできるが、一般的には画像形成ゼログラフィプロセス項目（感光体の帯電、露光、現像、転写、定着等）にとっては負荷が増大する。例えば、感光体の帯電能力が追いつかずに所定電位より低い帯電電位レベルまでしか帯電ができなかったり、帯電電位むらが発生したりする。また、露光においては、単位面積あたりの露光光量が不足したりする。現像においては、現像ロールの周速が高速化するため、遠心力等によりキャリアが飛散したり、現像機内圧の変化量が大きくなること等によりトナーが飛散したりする。転写においては、感光体から中間転写ベルトへのトナー移動が十分でなくなったりする。定着においても、定着器のニップ面部分を通過する時間が短くなるため、十分なトナーの溶融及び定着ができなくなる。従って、プロセススピードが速いほど、充分な画質が得られない可能性が大きくなる。逆にプロセススピードが遅い場合には、ほとんどの画像形成ゼログラフィプロセス項目に対して有利な方向に働き、このような問題はほとんど発生しないため、高い画質で画像を形成することが可能となる。
【００５２】
２  感光体帯電条件１（帯電電位）：感光体の帯電電位が高いほど画像のエッジが強調されると共に、かぶりが生じにくくなるため、文字の印刷には適しているが、感光体劣化（磨耗）は速くなる。逆に帯電電位が低いほどハイライトが再現しやすく、感光体の劣化は遅くなる。
【００５３】
３  感光体帯電条件２（ＡＣ帯電、ＤＣ帯電）：感光体の帯電をＡＣ帯電とすると感光体の帯電電位が安定する。ＤＣ帯電の場合には、感光体劣化（磨耗）が遅くなるため、感光体の寿命を優先させる場合には、ＤＣ帯電にすることが好ましい。
【００５４】
４  感光体駆動・帯電：フルカラーの画像を形成する場合には、Ｙ，Ｍ，Ｃ，Ｋの各色全ての感光体を駆動及び帯電する必要があるが、Ｋ単色の場合には、Ｋ色に対応する感光体のみを駆動及び帯電するだけでよい。
【００５５】
５  現像バイアス条件１（現像バイアス電位）：現像バイアス電位が低い場合には、現像コントラストが低下し、トナー消費量を抑えることができる。現像バイアス電位が高い場合には、現像コントラストが高くなる。
【００５６】
６  現像バイアス条件２（現像ＡＣ・ＤＣバイアス）：ＤＣバイアスの場合には、高圧電源コスト抑えることができ、トナー消費量を抑えることができる。ＡＣ（＋ＤＣ）バイアスの場合には、現像が安定する。
【００５７】
７  現像機起動：フルカラーの画像を形成する場合には、Ｙ，Ｍ，Ｃ，Ｋの各色全ての現像機を起動する必要があるが、Ｋ単色の場合には、Ｋ色に対応する現像機のみを起動するだけでよい。
【００５８】
８  露光条件（露光強度）：高強度の場合には、ハイライトの濃度が高くなり、線幅が太りやすくなる。逆に低強度の場合には、線幅太りが押さえられるため、高グロス化する場合等、高画質を優先する場合には低強度にすることが好ましい。
【００５９】
９  転写条件（転写電圧）：厚めの用紙やＯＨＰシートに印刷する場合には、印加電圧を高めにすることが好ましい。
【００６０】
１０  定着温度：トナーを十分に溶融させて用紙に定着させるため、用紙高速搬送時は一般に高温にする必要がある。また、逆に溶融が進みすぎると定着ロールによるホットオフセットが発生するため、用紙低速搬送時には温度を下げる必要がある。なお、定着温度が高いとFuser（定着器）の寿命が短縮されてしまうおそれがあるため、定着器の寿命を優先させる場合には、定着温度を低めにすることが好ましい。
【００６１】
１１  ソーティング条件：この条件は、画像形成の際にジョブの処理順が変更された場合に、画像形成後、ジョブの受付順がわかるように出力用紙をソートするか否かを指定するために設けられている。
【００６２】
１２  ＴＲＣ制御条件：トーンリプロダクションカーブ（ＴＲＣ）により、濃度を制御したり、ハイライト域等の階調性の変化等を補正・修正することができるが、制御・補正用データを算出し終わった段階で、次のジョブの画像形成処理が開始されてしまい、算出したデータを適用できない場合がある。生産性を優先せずに高画質を優先させる場合には、時間はかかるがリアルタイムでＴＲＣ処理を行うことが好ましい。この場合には、このＴＲＣ制御条件を、短いインターバルでＩＯＴ１０の状態を検出して、リアルタイムで処理するように指定する。
【００６３】
１３  画像制御間隔：画像制御は、一般に出力画像とは別に濃度検知用のパッチを形成することにより行われる。具体的には、パッチの形成、形成したパッチの濃度検知、濃度検知後のパッチのクリーニング、といった処理が行われるため、画像形成処理の生産性が低下する。従って、生産性を優先させる場合には、画像制御を頻繁に行わない（長インターバル）ほうが好ましい。しかしながら、画像濃度は、画像制御間隔があくほど不安定となるため、高い画質安定性を要求する場合には、画像制御を頻繁に行う（短いインターバル）ことが好ましい。
【００６４】
図２は、画像形成装置１のＩＯＴの概略構成図である。なお、図２では、ＩＯＴ制御部８については図示が省略されている。
【００６５】
図２に示されるように、ＩＯＴ１０は、イエロー（Ｙ）、マゼンタ（Ｍ）、シアン（Ｃ）、黒（Ｋ）の４つのゼログラフィエンジンを備えており、より詳しくは、矢印で示す方向に回転する４つの感光体１２Ｙ、１２Ｍ、１２Ｃ、１２Ｋ、４つの感光体１２Ｙ、１２Ｍ、１２Ｃ、１２Ｋの表面を帯電する接触帯電器１４Ｙ、１４Ｍ、１４Ｃ、１４Ｋ、帯電された感光体１２Ｙ、１２Ｍ、１２Ｃ、１２Ｋの表面を各色ごとの画像情報に基づいて変調された露光光により露光して感光体１２Ｙ、１２Ｍ、１２Ｃ、１２Ｋ上に静電潜像を形成するＲＯＳ（レーザ出力部）１６Ｙ、１６Ｍ、１６Ｃ、１６Ｋ、感光体１２Ｙ、１２Ｍ、１２Ｃ、１２Ｋ上の静電潜像を各色現像剤で現像して感光体１２Ｙ、１２Ｍ、１２Ｃ、１２Ｋ上にトナー像を形成する現像機１８Ｙ、１８Ｍ、１８Ｃ、１８Ｋ、感光体１２Ｙ、１２Ｍ、１２Ｃ、１２Ｋ上の各色トナー像を中間転写体ベルト２２に転写する一次転写器２０Ｙ、２０Ｍ、２０Ｃ、２０Ｋ、中間転写体ベルト２２上のトナー像を用紙Ｐに転写する二次転写器２４、用紙Ｐに転写されたトナー像を定着する定着器２８、用紙Ｐを収納する用紙トレイ２９、感光体１２Ｙ、１２Ｍ、１２Ｃ、１２Ｋの表面をクリーニングする図示しないクリーナ、感光体１２Ｙ、１２Ｍ、１２Ｃ、１２Ｋ表面の残留電荷を除去する図示しない除電器、及び中間転写体ベルト２２表面をクリーニングするベルトクリーナ２６を備えている。
【００６６】
次に、上記の画像形成装置１で実行される画像形成処理について説明する。
【００６７】
図１に示されるように、プリント機能により画像を形成する場合には、画像形成装置１は、ユーザの印刷要求に基づきＰＣ２から発行されたジョブを図示しないインタフェースを介して入力する。ジョブには、上述したように、画像データと、画像データに付された画像情報と、優先モードとが含まれている。コントローラ５は、入力された画像データにスクリーン処理等の画像処理を施してＩＯＴ１０に出力すると共に、画像情報及び優先モードをＩＯＴ１０に出力する。
【００６８】
また、コピー機能により画像を形成する場合には、ユーザにより図示されないトレイに原稿がセットされ、図示されないスタートボタンが押下されると、画像形成装置１の自動送り原稿機能により原稿が搬送され、スキャナ４により原稿が読取られる。原稿を読取ることにより得られた画像データはＩＰＳ６に出力される。ＩＰＳ６は、入力した画像データを解析することにより画像情報を生成し、ＩＯＴ１０に出力する。また入力した画像データに所定の画像処理を施してＩＯＴ１０に出力する。一方、ＵＩ３からはユーザの操作により、優先モードが指定される。指定された優先モードは、ＩＯＴ１０に出力される。
【００６９】
ＩＯＴ１０は、入力された画像情報及び優先モードに基づいて画像形成条件を選択して設定し、入力された画像データを用いて画像形成処理を実行する。
【００７０】
ここで、ＩＯＴ１０のＩＯＴ制御部８により実行される処理ルーチンについて図６のフローチャートを用いて説明する。本処理ルーチンは、ジョブの入力をトリガとして起動する。
【００７１】
ステップ１００では、優先モードが複数指定されているか否かを判断する。優先モードが複数指定されている場合には、ステップ１０２で、ＲＯＭに記憶された優先モードの優先順位を記憶した優先順位テーブル（図２）を参照して、指定されている各優先モードを優先順位の順にソートする。
【００７２】
ステップ１０２の処理後、または、ステップ１００で優先モードが複数指定されていないと判断された場合には、ステップ１０４の処理に移行する。
【００７３】
ステップ１０４では、ＲＯＭに記憶された画像情報と優先モードとの組み合わせの有効性を記憶した組み合わせテーブル（図４）を参照して、その組み合わせの有効性を確認する。図４において、○印は有効な組み合わせであり、空欄は無効な組み合わせであることを意味する。
【００７４】
なお、有効な組み合わせとは、画像情報と優先モードとの組み合わせのうち、ユーザの意図しない性能低下を招くおそれのない画像形成条件を選択することができる組み合わせをいう。
【００７５】
例えば、画像情報に適合しない優先モードが指定された場合に、該優先モードに対応する画像形成条件を選択すると、画像形成において、ユーザの意図しない性能低下を招くおそれがある。
【００７６】
従って、ここでは、有効な組み合わせを予め組み合わせテーブルに記憶しておき、後述する処理で、有効な組み合わせに対応する画像形成条件を選択するようにすることで、ユーザの意図しない性能低下を防止するようにしている。
【００７７】
ステップ１０６では、各組み合わせにおいて、１つでも有効な組み合わせがあれば、有効な組み合わせありと判断して、ステップ１０８に移行する。
【００７８】
ステップ１０８では、有効な組み合わせに対応する画像形成条件を、優先順位の高い優先モードの順に選択する。具体的には、画像形成条件テーブル（図５）に基づいて、優先順位の高い順（ステップ１０２でソートした順）に、有効な組み合わせの優先モードに対応する画像形成条件を選択していく。なお、上位の優先モードと下位の優先モードの画像形成条件が異なっていた場合には、先に選択された上位の優先モードの画像形成条件が優先される。なお、画像形成条件が空欄の場合には、ここでは何も選択されない。
【００７９】
このように、画像情報と優先モードとの組み合わせの有効性を記憶した組み合わせテーブルと各優先モードに対応した画像形成条件を記憶した画像形成条件テーブルとを用いることにより、有効な組み合わせに対応する画像形成条件を選択することができる。
【００８０】
ステップ１１０では、ステップ１０８で選択されなかった画像形成条件について、画像形成条件テーブルからシステム優先モードの画像形成条件を選択する。なお、システム優先モードは、ユーザにより指定されるモードではなく、デフォルトの画像形成条件として記憶されているものである。
【００８１】
一方、ステップ１０６で、各組み合わせが全て無効であると判断した場合には、ステップ１１２で、画像形成条件全てについて、画像形成条件テーブルに記憶されているシステム優先モードの画像形成条件を選択する。
【００８２】
ステップ１１４では、選択された画像形成条件がＩＯＴ１０の画像形成条件として用いられるように設定する。
【００８３】
ステップ１１６では、設定された画像形成条件を用いて、画像データから出力画像が形成されるように、ＩＯＴ１０の各構成要素を駆動制御する。
【００８４】
次に、具体的な例を挙げて、上記処理ルーチンの処理の流れを説明する。
【００８５】
ここでは、ＩＯＴ１０に入力された画像情報が、フルカラーを示すカラー情報と、文字画像を示す属性情報とにより構成されており、ユーザにより、生産性優先モード、高グロス優先モード、及び感光体Ｌｉｆｅ優先モードが指定された場合を例に挙げて説明する。
【００８６】
この場合には、指定された優先モードが複数あるため、ステップ１００で肯定判断され、ステップ１０２で、優先順位の高い順、すなわち、高グロス優先モード、感光体Ｌｉｆｅ優先モード、生産性優先モードの順にソートされる。
【００８７】
ステップ１０４で、画像データに付された画像情報と指定された優先モードとの組み合わせを確認するが、図４の組み合わせテーブルでは、
１  高グロス優先モードと、画像情報のジョブ毎のカラー情報（フルカラー/Mix）との組み合わせ、
２  高グロス優先モードと、画像情報の属性情報（文字）との組み合わせ、
３  感光体Ｌｉｆｅ優先モードと、画像情報のジョブ毎のカラー情報（フルカラー/Mix）との組み合わせ、
４  感光体Ｌｉｆｅ優先モードと、画像情報の属性情報（文字）との組み合わせ、
の４つの組み合わせが有効であると判断される。
【００８８】
なお、生産性優先モードについては、カラー情報（カラー）及び属性情報（写真）の双方との組み合わせはいずれも空欄であるため、無効であると判断される。
【００８９】
ステップ１０６では、有効な組み合わせがあると判断されて、ステップ１０８で、有効な組み合わせに対応する画像形成条件を、優先順位の高い順に画像形成条件テーブルから選択する。
【００９０】
この場合には、高グロス優先モード、感光体Ｌｉｆｅ優先モードの順に、画像形成条件が選択される。
【００９１】
図５の画像形成条件テーブルでは、まず高グロス優先モードの画像形成条件が選択される。具体的には、プロセススピードについて、”低速”が選択され、露光条件については、”低強度”が選択され、定着温度については、”低め”が選択され、画像制御間隔については、”短インターバル”が選択される。次に、感光体Ｌｉｆｅ優先モードの画像形成条件が選択される。具体的には、感光体帯電条件１（帯電電位）について、”低め”が選択され、感光体帯電条件２（ＡＣ帯電・ＤＣ帯電）については、”ＤＣ帯電”が選択される。
【００９２】
なお、ユーザにより指定された生産性優先モードについては、上述したように画像情報との組み合わせが無効であると判断されたため、生産性優先モードに対応する画像形成条件は選択されない。
【００９３】
ステップ１１０では、ステップ１０８で選択されなかった（空欄の）画像形成条件について、システム優先モードの画像形成条件を選択する。
【００９４】
従って、この例では、画像形成条件は、以下のように選択される。
１  プロセススピード：低速
２  感光体帯電条件１（帯電電位）：低め
３  感光体帯電条件２（ＡＣ帯電・ＤＣ帯電）：ＤＣ帯電
４  感光体駆動・帯電：全感光体
５  現像バイアス条件１（現像バイアス電圧）：普通
６  現像バイアス条件２（現像バイアス AC/DC）：ＡＣ＋ＤＣ バイアス
７  現像機起動：全現像機
８  露光条件（光強度）：低強度
９  転写電圧：普通
１０  定着温度：低め
１１  ソーティング条件：しない
１２  ＴＲＣ制御条件：ＴＲＣ反映のため生産性低下はしない
１３  画像制御間隔：短インターバル
ステップ１１４では、選択された画像形成条件が設定され、ステップ１１６では、設定された画像形成条件が用いられて画像形成処理が実行される。
【００９５】
以上説明したように、出力画像に関する画像情報と、ユーザにより指定された優先モードとに基づいて、出力画像の画像形成条件を選択するようにしたため、ユーザの目的に応じて画像形成条件を選択することができ、目的及びユーザの好みに合った画像形成を行うことができる。
【００９６】
また、画像情報と優先モードとの組み合わせが有効か否かを判断し、有効な組み合わせであれば、該組み合わせに対応する画像形成条件を選択するようにしたため、画像形成においてユーザの意図しない性能低下が発生することを防止することができる。
【００９７】
更に、予め定められた優先モードの優先順位に基づいて画像形成条件を選択するようにしたため、画像形成条件の異なる優先モードが指定された場合であっても、優先順位の高い優先モードの画像形成条件が優先的に選択され、ユーザの目的に合った最適な画像形成条件を選択できる。
【００９８】
なお、上記では、ジョブの受付順に、順次画像形成条件を選択、設定して画像形成を行う例について説明したが、以下では、複数のジョブが連続的に入力された場合に、例えば、画像形成処理順をジョブ受付順と異なる順番で画像形成処理を行うこと等により、画像形成条件の切換えに要する時間を短縮する例について説明する。
【００９９】
なお、この場合には、図示は省略するが、ＩＯＴ制御部８は、図６の処理ルーチンのステップ１００乃至ステップ１１０（またはステップ１１２）をジョブの受付順に繰り返し、全てのジョブについて画像形成条件を選択する。また、図６のステップ１１４及びステップ１１６の処理に代えて、図７に示すステップ２００乃至２２２の処理を実行する。
【０１００】
ステップ２００で、全てのジョブの特定の画像形成条件が同一であるか否かを判断する。
【０１０１】
なお、特定の画像形成条件は、特に限定されないが、画像形成条件の切換えに時間がかかる画像形成条件とすることができる。例えば、プロセススピードの速度の切換えに時間がかかる装置であれば、プロセススピードを特定の画像形成条件として設定しておくことが好ましい。
【０１０２】
ステップ２００で、ＩＯＴ制御部８が、全てのジョブの特定の画像形成条件が同一であると判断した場合には、ステップ２１０で、受付順の先頭のジョブの画像形成条件を設定し、ステップ２１２で、該ジョブの画像形成を実行する。ステップ２１４で、全てのジョブについて画像形成処理が終了していないと判断した場合には、ステップ２１０に戻り、次のジョブの画像形成条件を設定し、ステップ２１２で該ジョブの画像形成を実行する。ステップ２１０乃至ステップ２１４の処理は、全てのジョブの画像形成が終了するまで繰り返される。
【０１０３】
ステップ２００で、ＩＯＴ制御部８が、全てのジョブの特定の画像形成条件が同一でないと判断した場合には、ステップ２０２で、特定の画像形成条件が、変更可能か否かを判断する。例えば、特定の画像形成条件を変更したとしても、画像形成においてユーザの意図しない性能低下が発生することがない場合には、該特定の画像形成条件は変更可能であると判断することができる。
【０１０４】
ステップ２０２で、特定の画像形成条件は変更可能であると判断した場合には、ステップ２０４で、全ジョブの特定の画像形成条件が同一となるように、選択変更する。例えば、特定の画像形成条件がプロセススピードであり、大多数のジョブで「低速」が選択されており、少数のジョブで「高速」が選択されている場合には、該少数のジョブのプロセススピードを「高速」から「低速」に選択変更する。
【０１０５】
これにより、受付順にジョブを処理する過程で、特定の画像形成条件については設定を切換える必要がなくなるため、切換えに要する時間を短縮することができる。
【０１０６】
一方、ステップ２０２で、特定の画像形成条件は変更不可能であると判断した場合には、ステップ２０６で、ジョブの処理順を変更する必要があるか否かを判断する。例えば、ジョブの受付順のままであっても、特定の画像形成条件が同一のジョブが連続している状態であれば、ジョブの処理順を変更する必要がないと判断することができ、特定の画像形成条件が同一のジョブが連続していない状態であれば、ジョブの処理順を変更する必要があると判断することができる。
【０１０７】
ステップ２０６で、ジョブの処理順を変更する必要があると判断した場合には、ステップ２０８で、特定の画像形成条件が同一のジョブが連続するように、ジョブの処理順を変更する。例えば、特定の画像形成条件がプロセススピードの場合に、「高速」が選択されているジョブと「低速」が選択されているジョブとがそれぞれ連続するように処理順を変更する。
【０１０８】
これにより、特定の画像形成条件を変更する回数を減らすことができるため、切換えに要する時間を短縮することができる。
【０１０９】
ステップ２０４またはステップ２０８の処理の後、或いはステップ２０６で、ジョブの処理順を変更する必要がないと判断された後は、上述と同様にステップ２１０からステップ２１４の処理を繰り返して、全てのジョブの画像形成を実行する。ただし、ステップ２０８でジョブの処理順を変更した場合には、ジョブは受付順ではなく、変更された処理順に処理（画像形成）される。
【０１１０】
ステップ２１４で、ＩＯＴ制御部８は、全てのジョブの画像形成が終了したと判断した場合には、ステップ２１６で、ジョブの処理順に変更があったか否かを判断する。すなわち、ステップ２０８でジョブの処理順が変更された場合には、ステップ２１６で肯定判断され、それ以外の場合には、否定判断される。
【０１１１】
ステップ２１６で、ジョブの処理順に変更があったと判断された場合には、ステップ２１８で、各ジョブの画像形成条件のソーティング条件が、”ジョブ処理順変更時にはジョブ受付順がわかるようにソートする”が選択されているか否かを判断する。ここで、全ジョブの中で１つでも”ソートする”が選択されていれば、ステップ２２０で、画像形成された用紙をジョブ受付順がわかるようにソートする。全てのジョブで”ソートしない”が選択されていれば、ステップ２２０の処理は行わずに、本処理ルーチンを終了する。
【０１１２】
以上説明したように、複数のジョブについて、特定の画像形成条件が異なるジョブが混在する場合には、ジョブの受付順に出力画像を形成する、特定の画像形成条件が同一のジョブが連続するようにジョブの処理順を変更して出力画像を形成する、及び、各ジョブで特定の画像形成条件が同一となるように特定の画像形成条件を変更して出力画像を形成する、のいずれかを行うようにしたため、画像形成条件の切換えに要する時間を短縮することができる。
【０１１３】
なお、本発明は、上述した実施の形態に限定されるものではなく、特許請求の範囲に記載された範囲内で様々な設計上の変更を行うことができる。
【０１１４】
例えば、上述した実施の形態では、画像情報と優先モードとの組み合わせの有効性を記憶した組み合わせテーブル、及び各優先モードに対応した画像形成条件を記憶した画像形成条件テーブルを用いて出力画像の画像形成条件を選択する例について説明したが、これらテーブルに代えて、例えば、画像情報と優先モードとの組み合わせのうち、有効な組み合わせに対応した画像形成条件を記憶したテーブルを用いて、画像形成条件を選択することもできる。この場合には、例えば、画像情報と優先モードとの組み合わせに対応する画像形成条件を該テーブルから検索し、検索できた場合には該検索された画像形成条件を選択し、検索できなければデフォルトのシステム優先モードを選択するようにする。このような構成によっても、ユーザの目的に応じて最適な画像形成条件を選択することができる。
【０１１５】
また、上述した実施の形態における、優先順位テーブル、組み合わせテーブル、及び画像形成条件テーブルは、プリント機能或いはコピー機能実行前に、ユーザにより適宜変更可能な構成とすることもできる。
【０１１６】
また、優先モードは、上述した例に限定されるものではなく、例えば、高画質及び高グロスの双方を優先させるための優先モードが設けられていてもよい。この場合には、このような優先モードに対応する画像形成条件を前述の画像形成条件テーブルに記憶しておき、優先順位も、同様に優先順位テーブルに記憶しておくことができる。
【０１１７】
なお、画像情報は、上述のジョブ毎のカラー情報や属性情報だけに限定されるものではなく、例えば、画像構造情報（例えば、線で構成された画像であるか、点で構成された画像であるかを示す情報）や、画像密度情報などが含まれていてもよい。また、ＰＣ２のプリンタドライバ等で、予め印刷する用紙紙質の情報や印刷部数等が指定された場合には、このような印刷情報等が含まれていてもよい。
【０１１８】
また、ユーザにより優先モードが指定されなかった場合には、画像情報に基づいて画像形成条件を選択するような構成としてもよいし（この場合には、画像情報に対応する画像形成条件を優先モードとは別に予め記憶しておく）、システム優先モードの画像形成条件を選択するような構成としてもよい。
【０１１９】
【発明の効果】
以上説明したように、本発明によれば、出力画像に関する画像情報と、外部から指定されたモードとに基づいて、出力画像の画像形成条件を選択し、選択した画像形成条件を用いて画像を形成するようにしたため、ユーザの目的に応じて最適な画像形成条件を選択し、目的及びユーザの好みに合った画像形成を行うことができる、という効果を奏する。
【図面の簡単な説明】
【図１】  本発明の実施の形態に係る画像形成装置の概略的な構成を示したブロック図である。
【図２】  画像形成装置のＩＯＴの概略構成図である。
【図３】  優先順位テーブルの一例を示した図である。
【図４】  組み合わせテーブルの一例を示した図である。
【図５】  画像形成条件テーブルの一例を示した図である。
【図６】  ＩＯＴ制御部により実行される処理ルーチンを示すフローチャートである。
【図７】  複数のジョブが連続的に入力された場合に、画像形成条件の切換えに要する時間を短縮するための処理を示したフローチャートである。
【符号の説明】
１  画像形成装置
３  ＵＩ
４  スキャナ
５  コントローラ
６  ＩＰＳ
８  ＩＯＴ制御部
１０  ＩＯＴ
【図１】
0004423893.tif 000002
【図２】
0004423893.tif 000003
【図３】
0004423893.tif 000004
【図４】
0004423893.tif 000005
【図５】
0004423893.tif 000006
【図６】
0004423893.tif 000007
【図７】
0004423893.tif 000008